(57)【要約】      （修正有）【課題】ベルトの両側縁部を左右個別のリターンローラで支承すると共に、不都合のあるリターンローラの交換が容易にできる支持ローラを提供する。【解決手段】支持ローラは、左右に分割配置したリターンローラＣを備え、リターンローラＣによってリターン側ベルトＡを支持する。ベルトコンベヤＸにおいて、リターン側ベルトＡの両側外側に配置した垂直な支点軸２をコンベヤフレーム１に支持し、この支点軸が旋回中心となるローラ受けカセット部Ｂを設け、このローラ受けカセット部Ｂに上方から落とし込むリターンローラＣのセンタ軸１１の溝部が上方からの嵌入にともない係合関係になるような切欠き１３をローラ受けカセット部Ｂに設け、ローラ受けカセット部Ｂがベルトの走行方向に対し直角に交差する停止維持と、停止維持を解除できるロック手段Ｄを設けた構成を採用する。【選択図】図２
0003227969.tif 000002
【実用新案登録請求の範囲】
【請求項１】
リターン側ベルトの下面両側の側縁から上記リターン側ベルトの両側縁間の中央部を除く位置迄を左右のリターンローラによって支承したベルトコンベヤにおいて、上記リターン側ベルトの両側外側に配置した垂直な支点軸をコンベヤフレームに支持し、この支点軸に末端側が平面上での旋回中心となるようなローラ受けカセット部を設け、このローラ受けカセット部に上方から落とし込むリターンローラのセンタ軸の突出両端外周面に設けてある溝部が上方から嵌入すると共に、嵌入にともない係合関係になって上記センタ軸が不回転状態になるような切欠きを上記ローラ受けカセット部の末端と先端とに設け、また上記ローラ受けカセット部の末端側に前記両ローラ受けカセット部が上記リターン側ベルトの走行方向に対し直角に交差する停止維持と、停止維持を解除できるロック手段を設けたことを特徴とするリターンベルトの支持ローラ。
【請求項２】
前記の切欠きが、リターンローラの軸線がリターン側ベルトの走行方向に対し直角と斜めに交差するような位置変更ができるように設けたことを特徴とする請求項１に記載のリターン側ベルトの支持ローラ。
【考案の詳細な説明】
【技術分野】
【０００１】
この考案は、ベルトコンベヤにおけるリターンベルトの支持ローラに関する。
【背景技術】
【０００２】
ベルトコンベヤにおけるリターン側ベルト（帰り側ベルト）の表面は、前後に多数本並列する支持ローラで支承している。
このリターン側ベルトの支持ローラは通常１本のローラが使用されている。
【０００３】
すると、リターン側ベルトの表面中央部分には、特に搬送物によっては残渣物が著しく付着することがあり、この残渣物でリターン側ベルトを支持する１本のリターンローラの中央部分が摩滅破損することがあり、また破損したリターンローラの交換も容易ではなかった。
【０００４】
すなわち、リターンローラの交換の際は、ベルトを吊り上げて、この吊り上げを維持しながら、リターンローラのセンタ軸の両端を支持ブラケットから脱出させて係合関係をなくすることに起因する。
【０００５】
そこで、最大の原因であるリターンローラの中央部分で残渣物の付着したベルトを受けずに（支承しないように）、ベルトの両側部を左右個別のリターンローラで支持する方法が開発され、今日でも採用されだした（例えば、特許文献１参照）。
【先行技術文献】
【特許文献】
【０００６】
【特許文献１】実用新案登録第３１８２５３６号公報
【考案の概要】
【考案が解決しようとする課題】
【０００７】
ところで、このような方式（特許文献１）を採用しても、何らかの原因によってリターンローラのスムーズな回転に支障をきたしたことにともない、不都合があるリターンローラを交換する場合、上述のような問題により極めて容易に、かつ迅速に交換することができない問題があり、またベルトの蛇行調整作業も容易ではなかった。
【０００８】
そこで、この考案は、上記の問題を解決したリターンベルトの支持ローラを提供することにある。
【課題を解決するための手段】
【０００９】
上記の課題を解決するために、この考案は、リターン側ベルトの下面両側の側縁から上記リターン側ベルトの両側縁間の中央部を除く位置迄を左右のリターンローラによって支承したベルトコンベヤにおいて、上記リターン側ベルトの両側外側に配置した垂直な支点軸をコンベヤフレームに支持し、この支点軸に末端側が平面上での旋回中心となるようなローラ受けカセット部を設け、このローラ受けカセット部に上方から落とし込むリターンローラのセンタ軸の突出両端外周面に設けてある溝部が上方から嵌入すると共に、嵌入にともない係合関係になって上記センタ軸が不回転状態になるような切欠きを上記ローラ受けカセット部の末端と先端とに設け、また上記ローラ受けカセット部の末端側に前記両ローラ受けカセット部が上記リターン側ベルトの走行方向に対し直角に交差する停止維持と、停止維持を解除できるロック手段を設けた構成を採用する。
【００１０】
また、前記の切欠きが、リターンローラの軸線がリターン側ベルトの走行方向に対し直角と斜めに交差するような位置変更ができるように設けた構成を採用することもある。
【考案の効果】
【００１１】
以上のように、この考案のリターンベルトの支持ローラによれば、ローラ受けカセット部にセットしてあるリターンローラの故障（破損やスムーズな回転を阻害するなどにともなう）が発生すると、ロック手段によるロックを解除することで、ローラカセット受けをリターンベルトの下側から脱出するように外側方に旋回させることができるので、この状況下でリターンローラを上方に持ち上げながらリターンローラを極めて容易に回収することができる。
【００１２】
このため、手数のかかる面倒なリターン側ベルトの持ち上げが不要になってリターンローラの回収や交換作業が容易に、かつ迅速に行うことができると共に、交換にともなう長時間のベルトコンベヤの稼働率の低下などの問題をなくすることができる。要するに、左右のローラカセット受けを個別に旋回させることで独自に交換することができる。
【００１３】
また、ローラカセット受けに設けてある切欠き（リターンローラのセンタ軸の突出端の溝を係合関係に嵌め込む）をリターン側ベルトの走行方向前後に設けて、リターンローラの軸線がリターン側ベルトの走行方向に対し直角と斜めとに交差させることができるので、ベルトコンベヤの全体が微妙に異なったベルト蛇行の仕方をしたり、部分的なベルト蛇行を起こしたりする特異なベルト癖を持つベルトコンベヤの蛇行対策（部分的な状況に応じて自由な組み合わせに対応）に優位な調整機能を発揮する特有な効果がある以外に、ローラカセット受けの旋回機能により一々ベルトを持ち上げる手数がなく極めて容易に、かつ迅速な蛇行調整を行うことができる。
【図面の簡単な説明】
【００１４】
【図１】この考案の実施形態を示す一部切欠正面図である。
【図２】同上の一部切欠平面図である。
【図３】同上の要部を示す縦断拡大正面図である。
【図４】同一部切欠拡大平面図である。
【図５】同一部切欠拡大側面図である。
【図６】同一部切欠拡大側面図である。
【図７】一部切欠拡大平面図である。
【図８】リターンローラの交換を示す一部切欠正面図である。
【図９】ベルトの蛇行の調整例を示す平面図である。
【図１０】ベルトの蛇行の調整例を示す平面図である。
【図１１】ベルトの蛇行の調整例を示す平面図である。
【考案を実施するための形態】
【００１５】
次に、この考案の実施の形態を添付図面に基づいて説明する。
この考案の第１の実施形態を示す図１から図８に示すＡは、ベルトコンベヤＸのリターン側ベルトである。
【００１６】
上記のベルトコンベヤＸは、周知のように、ヘッドプーリとテールプーリ（図示省略）との間に無端状のベルトをかけ渡して構成する。
【００１７】
上記リターン側ベルトＡの両側縁外側には、コンベヤフレーム１に垂直な支点軸２が支持させてある。
【００１８】
上位の支点軸２の支持としては、図３、図８に示すように、取付ブラケット３に溶接などで支点軸２の上端を支持させて、コンベヤフレーム１にブラケット３をボルトとナットとからなる固定金具４を介し取り付けてあるが、限定されない。
【００１９】
また、支点軸２の下端側には、末端側が平面上で旋回中心となるローラ受けカセット部Ｂが設けてある。
【００２０】
上記のローラ受けカセット部Ｂは、図示３、４、７、８に示すように、先端側となる連結板５と、この連結板５の両端から連なって一方向に突出する並行板６、６と、この並行板６、６の突出端に板面を固定（溶接などで）した側面コ字状の基部７とで構成され、基部７の上下突出並行部に設けてある透孔８に支点軸２を貫通すると共に、基部７の下位並行部下面に外接するストッパ片９を支点軸２にボルト１０を介し固定することで、支点軸２から基部７の抜け止めとすると共に、ローラ受けカセット部Ｂが平面上で旋回できるようにしたが、上記の構造に限定されず、目的を達成するその他の構成であってもよい。
【００２１】
そして、並行板６間に上方から落ち込むリターンローラＣは、リターンローラＣの中心に貫通するセンタ軸１１の突出両端外周に設けてある平行溝部１２を、ローラ受けカセット部Ｂの先端（連結板５の）上縁から下方に、またローラ受けカセット部Ｂの末端（基部７の）上面から下方にそれぞれ設けてあるＵ字状の切欠き１３に嵌入にともない係合関係に嵌め込んで、ローラ受けカセット部ＢにリターンローラＣを軸承すると共に、センタ軸１１を不回転状態とする。
【００２２】
さらに、両ローラ受けカセット部Ｂの先端がリターン側ベルトＡの中央部に向く（リターン側ベルトＡの走行方向に対し直角に交差する）状況下に停止維持と、停止維持を解除するロック手段Ｄを設けておく。
【００２３】
上記のロック手段Ｄは、図示の場合、基部７の上側辺１４をブラケット３の下位辺１５に重ねると共に、この重なった上側辺１４と下位辺１５に設けてある合致する透孔（図示省略）にボルトとナットからなる締付具１６のボルトを貫通させてロックするようにしたが、限定されず、その他の構成のロック方式を採用してもよい。
【００２４】
上記のように構成すると、スムーズな回転を阻害するなどの原因にともないリターンローラＣを交換する場合、まずロック手段Ｄによるローラ受けカセット部Ｂの旋回阻止維持を解除する。
【００２５】
この状況下でリターン側ベルトＡの下のローラ受けカセット部Ｂを図３の位置から１８０°旋回させながら、リターン側ベルトＡの下から（図２、３に示す）ローラ受けカセット部Ｂを図８に示すように脱出させる。
【００２６】
すると、リターンローラＣの上に図８に示すようにリターン側ベルトＡが存在しないので、ローラ受けカセット部Ｂから上方にリターンローラＣを持ち上げながら、溝部１２に対する切欠き１３の係合関係を解除してリターンローラＣを回収することができる。
【００２７】
回収後に、切欠き１３に溝部１２を嵌め込み係合させながらローラ受けカセット部Ｂに当たらしいリターンローラＣをセットする。
【００２８】
その後に、リターン側ベルトＡの下に向けローラ受けカセット部Ｂを１８０°旋回させたのち、ロック手段Ｄによるロックによってローラ受けカセット部Ｂの旋回を止める。
【００２９】
この方式を採用することで、リターン側ベルトを持ち上げることなく、すなわち、従来のようなリターンローラの回収が容易になる位置迄リターン側ベルトを持ち上げる必要がなくなる。
勿論、左右のリターンローラＣを別々に交換することができる。
【００３０】
次にこの考案の第２の実施形態を説明する。
前述の第１の実施形態では、ローラ受けカセット部Ｂの先端と末端との切欠き１３にリターンローラＣのセンタ軸１１の両端溝部１２を嵌め込み係合させて軸承したリターンローラＣの軸線をリターン側ベルトＡの走行方向に直角に交差するようにしたが、直角に交差させる以外に、リターン側ベルトＡの走行方向に対しリターンローラＣの軸線が斜めに交差するよう、切欠き１３に隣接した切欠き２１を設けることにある。
【００３１】
この切欠き２１を設ける要因は、リターン側ベルトＡの走行方向にリターンローラＣの軸線を斜めに交差させることで、リターン側ベルトＡの蛇行を調整することにある。
【００３２】
そして、この切欠き２１も図４、５、７に示すようにローラ受けカセット部Ｂの末端側基部７に設けたが、限定されず、ローラ受けカセット部Ｂの先端側連結板５に設けることもある。
【００３３】
また、上述の切欠き２１も、切欠き１３のリターン側ベルトＡの走行方向と、走行方向の反対側に隣接して設ける（図９から図１１参照）こともある。
【００３４】
図中１７は、基部７の上側辺１４と下側辺１８とに両端を溶接により固定した筒体で、この筒体１７は、支点軸２に嵌装する。
【００３５】
上記のように構成すると、図９に示すように、左側のローラ受けカセット部Ｂの先端側と末端側との両切欠き１３にリターンローラＣのセンタ軸１１の両端溝部１２を嵌め込み係合して軸承し、右側のローラ受けカセット部Ｂの先端側の切欠き１３にセンタ軸１１の片端溝部１２を、また右側のローラ受けカセット部Ｂの末端側の切欠き２１にセンタ軸１１のもう片端溝部１２をそれぞれ嵌め込み係合して軸承することにより、リターン側ベルトＡの癖で、部分的に常に右側に蛇行するような箇所に、場合によっては複数列取り付ける。
【００３６】
また、図１０に示すように、右側のローラ受けカセット部Ｂの先端側と末端側の切欠き１３にリターンローラＣのセンタ軸１１の両端溝部１２を嵌め込み係合して軸承し、左側のローラ受けカセット部Ｂの先端側の切欠き１３にセンタ軸１１の片端溝部１２を、また左側のローラ受けカセット部Ｂの末端側の切欠き２１にセンタ軸１１のもう片端溝部１２をそれぞれ嵌め込み係合して軸承することにより、リターン側ベルトＡの癖で、部分的に常に左側に蛇行するような箇所に、場合によっては複数列取り付ける。
【００３７】
さらに、図１１に示すように、左側及び右側ローラ受けカセット部Ｂの先端側の切欠き１３にリターンローラＣのセンタ軸１１の片端の溝部１１を嵌め込み係合し、また両ローラ受けカセット部Ｂの末端側の切欠き２１にセンタ軸１１のもう片端の溝部１２を嵌め込み係合して軸承することにより、常にフラフラした蛇行をする箇所に複数列取り付け、常にリターン側ベルトＡを中寄せさせる。
【００３８】
上記の使用例の目的は、ベルトコンベヤＸそれぞれの運転状況が異なること以外に、リターン側ベルトＡの蛇行状況やベルトコンベヤＸ全体の癖も異なり、それぞれのベルトコンベヤＸ全体のあるいは部分的な状況に応じて自由な組み合わせ対応ができる蛇行調整アイドラの待望に応じるためである。
【００３９】
すなわち、ベルトコンベヤＸ全体が微妙に異なったリターン側ベルトＡの蛇行の仕方をしたり、部分的なベルト蛇行を起こしたりする特異なベルト癖を持つベルトコンベヤの蛇行対策に優位な調整機能を発揮することができる。
【符号の説明】
【００４０】
Ｘ  ベルトコンベヤ
Ａ  リターン側ベルト
Ｂ  ローラ受けカセット部
Ｃ  リターンローラ
Ｄ  ロック手段
１  コンベヤフレーム
２  支点軸
３  ブラケット
４  固定金具
５  連結板
６  並行板
７  基部
８  透孔
９  ストッパ片
１０  ボルト
１１  センタ軸
１２  溝部
１３  切欠き
１４  上側辺
１５  下位辺
１６  締付具
２１  切欠き
【図１】
0003227969.tif 000003
【図２】
0003227969.tif 000004
【図３】
0003227969.tif 000005
【図４】
0003227969.tif 000006
【図５】
0003227969.tif 000007
【図６】
0003227969.tif 000008
【図７】
0003227969.tif 000009
【図８】
0003227969.tif 000010
【図９】
0003227969.tif 000011
【図１０】
0003227969.tif 000012
【図１１】
0003227969.tif 000013